(57)【要約】【課題】回転駆動される円板状の磁気ディスクと、該磁気ディスクに対してデータの記録／再生を行う磁気ヘッドと、シャフトに回転可能に支持され、先端部には、ディスクのトラックを横切る方向に磁気ヘッドを移動できるように、磁気ヘッドが搭載されたヘッドアームとを備えた磁気ディスク装置に関し、風外乱を低減でき、高速化に対応できる磁気ディスク装置を実現する。【解決手段】ヘッドアーム７よりも磁気ディスク２，３の回転方向上流側の位置に、磁気ディスク２，３の記録面に接近して、スポイラー３０を配置する。さらに、このスポイラー３０の位置から、筐体１の円弧状壁面４ａにおける磁気ディスク２，３の回転方向上流側端部４ｃまでの範囲にわたって、磁気ディスク２，３の外周面に対向する円弧状壁面３１ａ，３２ａが形成された板状シュラウド３１，３２を設ける。【選択図】      図１
2004234784.tif 000002
【特許請求の範囲】
【請求項１】
回転駆動される円板状の磁気ディスクと、
該磁気ディスクに対してデータの記録／再生を行う磁気ヘッドと、
シャフトに回転可能に支持され、先端部には、前記ディスクのトラックを横切る方向に前記磁気ヘッドを移動できるように、前記磁気ヘッドが搭載されたヘッドアームと、
該ヘッドアームを回転駆動するアクチュエータと、
前記磁気ディスクの外周面に対向するような円弧状壁面が形成されるとともに、前記磁気ディスクを挟んで前記円弧状壁面と対向する位置に、前記ヘッドアーム，前記シャフトおよび前記アクチュエータを収納する空間が形成された筐体と、
前記ヘッドアームよりも前記磁気ディスクの回転方向上流側の位置に、前記磁気ディスクの記録面に接近して配置され、前記磁気ディスクの回転に伴い記録面周辺に生じた空気流を前記磁気ディスクの回転中心側に向かわせるスポイラーと、
該スポイラーの位置から、前記筐体の円弧状壁面における前記磁気ディスクの回転方向上流側端部までの範囲にわたって、前記磁気ディスクの外周面に対向する円弧状壁面が形成された板状シュラウドと
を有する磁気ディスク装置。
【請求項２】
前記磁気ディスクは間隔リングを介して積層された複数の磁気ディスクでなり、この複数の磁気ディスク間に、前記スポイラーとして板状のスポイラーが挿入配置され、かつ、前記スポイラーは前記板状シュラウドに挟まれるようにして前記筐体に固定されていることを特徴とする請求項１記載の磁気ディスク装置。
【請求項３】
前記スポイラーに堰きとめられる空気の一部をバイパスさせて前記ヘッドアームの下流側に流すための連絡通路が、前記筐体の前記空間内に形成されるとともに、該連絡通路の入口側開口部の下流側壁面が、前記板状シュラウドと前記スポイラーとの積層部側面にて形成されていることを特徴とする請求項２記載の磁気ディスク装置。
【発明の詳細な説明】
【０００１】
【発明の属する技術分野】
本発明は、回転駆動される円板状の磁気ディスクと、該磁気ディスクに対してデータの記録／再生を行う磁気ヘッドと、シャフトに回転可能に支持され、先端部には、ディスクのトラックを横切る方向に磁気ヘッドを移動できるように、磁気ヘッドが搭載されたヘッドアームとを備えた磁気ディスク装置に関する。
【０００２】
【従来の技術】
磁気ディスク装置では大容量化だけでなく高速化が進んでいる。この高速化の要求を満たすために、磁気ディスクを高速回転させた場合、磁気ディスクの高速回転に伴って大きな空気流が発生する。この空気流は、その流れを乱されると、磁気ヘッド，ヘッドアームおよび磁気ディスクに外乱として作用し（この外乱を風外乱と呼ぶ）、磁気ヘッド，ヘッドアームおよび磁気ディスクが振動し、磁気ヘッドの位置決め精度を低下させることになる。
【０００３】
磁気ディスク装置には、磁気ディスクを囲むシュラウド（外壁）を設けるとともに、ヘッドアーム（キャリッジアーム）の挿入部の開口角度を小さくしたもの（たとえば、特許文献１参照）や、ヘッドアームが入り込むくし歯付きシュラウドをヘッドアームの近傍からヘッドアームのディスク回転方向上流側にかけて配置したものがある（たとえば、特許文献２参照）。
【０００４】
【特許文献１】
特開平１１−２３２８６６号公報（図１）
【特許文献２】
特開２０００−２２８０７９公報（図１）
【０００５】
【発明が解決しようとする課題】
上記特許文献１記載の磁気ディスク装置においては、ヘッドアームの挿入部の開口角度を小さくしてはいるものの、ヘッドアームの回転中心軸方向（高さ方向）には依然として幅広の開口があるため、この部分で空気流が乱され、磁気ヘッドやヘッドアームは、大きな風外乱を受けることになる。
【０００６】
同様に、特許文献２記載の磁気ディスク装置においても、ヘッドアームの近傍からヘッドアームのディスク回転方向下流側にかけて大きな開口が存在しており、この部分で空気流が乱され、風外乱の影響が磁気ヘッドやヘッドアームに及ぶという問題がある。
【０００７】
本発明は、上記問題を解決するためになされたもので、その目的は、風外乱を低減でき、高速化に対応できる磁気ディスク装置を実現することにある。
【０００８】
【課題を解決するための手段】
上記課題を解決する請求項１に係る発明は、本発明の実施の形態例を示す図１を用いて説明すると、回転駆動される円板状の磁気ディスク２，３と、該磁気ディスク２，３に対してデータの記録／再生を行う磁気ヘッド１０と、シャフト８に回転可能に支持され、先端部には、ディスクのトラックを横切る方向に磁気ヘッド１０を移動できるように、磁気ヘッド１０が搭載されたヘッドアーム７と、該ヘッドアーム７を回転駆動するアクチュエータ１１と、磁気ディスク２，３の外周面に対向するような円弧状壁面４ａが形成されるとともに、磁気ディスク２，３を挟んで円弧状壁面４ａと対向する位置に、ヘッドアーム７，シャフト８およびアクチュエータ１１を収納する空間４ｂが形成された筐体１とを、基本構成として有している。
【０００９】
さらに、本発明では、ヘッドアーム７よりも磁気ディスク２，３の回転方向上流側の位置に、磁気ディスク２，３の記録面に接近して、スポイラー３０，４ｐ，５ｐが配置されている。このスポイラー３０，４ｐ，５ｐは、磁気ディスク２，３の回転に伴い記録面周辺に生じた空気流を磁気ディスク２，３の回転中心側に向かわせるものである。また、スポイラー３０の位置から、筐体１の円弧状壁面４ａにおける磁気ディスク２，３の回転方向上流側端部４ｃまでの範囲にわたって、磁気ディスク２，３の外周面に対向する円弧状壁面３１ａ，３２ａが形成された板状シュラウド３１，３２が設けられている。
【００１０】
本発明では、磁気ディスク２，３の回転方向におけるヘッドアーム７より上流側にスポイラー３０が設けられており、磁気ヘッド１０やヘッドアーム７に当たる風圧の絶対値も小さい。しかも、板状シュラウド３１，３２の円弧状壁面３１ａ，３２ａが、スポイラー３０の位置から、筐体１の円弧状壁面４ａにおける磁気ディスク２，３の回転方向上流側端部４ｃまでの範囲にわたって、磁気ディスク２，３の外周面に対向するように、連続して設けられているので、ヘッドアーム７の周辺を流れる空気流が乱されることがなく、風外乱は小さくなる。よって、磁気ヘッド１０の位置決め精度を低下させるほど、風外乱が磁気ヘッド１０やヘッドアーム７に作用することはない。
【００１１】
請求項２に係る発明は、請求項１に係る発明における磁気ディスク２，３が、間隔リング２０を介して積層された複数の磁気ディスク２，３でなり、この複数の磁気ディスク２，３間に、板状のスポイラー３０が挿入配置され、かつ、スポイラー３０は板状シュラウド３１，３２に挟まれるようにして筐体１に固定されていることを特徴とするものである。
【００１２】
この発明では、板状部材を加工してスポイラー３０とシュラウド３１，３２を製作し、これらを積層して筐体１に固定するようにしたので、加工および装着が容易になり、コストダウンを図れる。
【００１３】
又、請求項３に係る発明は、請求項２に係る発明において、スポイラー３０に堰きとめられる空気の一部をバイパスさせてヘッドアーム７の下流側に流すための連絡通路３５が、筐体１の空間４ｂ内に形成されるとともに、該連絡通路３５の入口側開口部の下流側壁面が、板状シュラウド３１，３２とスポイラー３０との積層部側面３０ｃにて形成されていることを特徴とするものである。
【００１４】
連絡通路３５を設ける場合、その入口側開口部の下流側壁面を緩やかな曲面で形成することが必要になるが、この発明では、加工が容易な板状シュラウド３１，３２とスポイラー３０との積層部側面３０ｃで入口側開口部の下流側壁面を形成したので、良好な形状の壁面を低コストで形成できる。
【００１５】
【実施の形態】
図１は本発明の実施の形態例を示す一部破断平面図（カバーを除いた状態）、図２は磁気ディスク中央部の断面図である。尚、この形態例の磁気ディスク装置としての基本的構成は、従来の磁気ディスク装置の基本的構成と同一である。なお、本形態例は、磁気ディスクを２枚使用し、各磁気ディスクの両面を記録面としたものである。
【００１６】
図１および図２において、装置内部を密閉する筐体（ディスクエンクロージャ）１の中央には、円板状の２枚の磁気ディスク２，３が回転可能に設けられている。筐体１は、磁気ディスク２，３等を収納する凹部が上面側から形成された箱状のベース４と、このベース４の開放面を覆うカバー５（図３参照）とからなる。ベース４には、磁気ディスク２，３の外周面に対向するような円弧状壁面４ａが形成されるとともに、磁気ディスク２，３を挟んで円弧状壁面と対向する位置に空間４ｂが形成されている。
【００１７】
この空間４ｂ内の磁気ディスク２，３の外周部近傍には、重心と回転中心とが一致する、所謂、回転バランスが取られたヘッドアーム（キャリッジアーム）７が、ベース４に突設したシャフト８を中心に回転可能に設けられている。ヘッドアーム７の先端側には、図示しないサスペンションが設けられ、そこに、磁気ディスク２，３上のトラックにデータの記録再生を行う磁気ヘッド（磁気ヘッドスライダ）１０が取り付けられている。
【００１８】
本形態例では、磁気ディスク２，３が２枚使用され、各磁気ディスク２，３の両面が記録面となっているため、ヘッドアーム７の先端側は４つのアーム部に分岐され、各アーム部に、磁気ヘッド１０が設けられている。磁気ヘッド１０は、読み取り用のヘッド部と書き込み用のヘッド部からなる複合ヘッドであり、磁気ディスク２，３が回転すると、記録面から浮上し、磁気ディスク２，３に対してデータの記録／再生を行うものである。図１では、磁気ディスク３の上側の記録面に対してアクセスする磁気ヘッド１０を図示した。
【００１９】
ヘッドアーム７の基端側には、ヘッドアーム７を回転駆動するアクチュエータ（ボイスコイルモータ）１１が設けられている。このアクチュエータ１１の構成は、筐体１側に磁気ギャップを有する磁気回路を固定し、ヘッドアーム７にボイスコイル（ムービングコイル）を固着したものである。アクチュエータ１１内のボイスコイルに駆動電流を流すと、磁気ギャップ内にあるボイスコイル部分に推力が発生し、ヘッドアーム７が回転し、磁気ヘッド１０が磁気ディスク２，３のトラック幅方向に移動することになる。
【００２０】
磁気ディスク２，３を回転駆動するスピンドルモータ１３は、図２に示すような構成を有している。図２において、ベース４に固定されたシャフト１４の外周部には、ステータコイル１５が取り付けられるとともに、ベアリング１６，１７を介してハブ１８が回転可能に取り付けられている。ハブ１８の外周部には、つば部が形成されており、その上に磁気ディスク２，３が円板状の間隔リング２０を介して積層配置されている。これら磁気ディスク２，３の積層状態を保持するために、ディスククランプ２１がボルト２２を用いてハブ１８に固定されている。
【００２１】
ハブ１８の内周部には、磁石２３や図示しないヨークが取り付けられており、ステータコイル１５を駆動（励磁）することにより、ハブ１８が回転し、磁気ディスク２，３が図１における反時計方向（矢印Ｆ方向）に回転するようになっている。
【００２２】
ヘッドアーム７よりも磁気ディスク２，３の回転方向上流側の位置には、板状のスポイラー３０が配置されている。このスポイラー３０の薄肉部３０ａは、磁気ディスク２，３間の空間内に挿入配置され、磁気ディスク２の下側記録面や磁気ディスク３の上側記録面とは、１ｍｍ以下の間隔に保たれている。スポイラー３０は、磁気ディスク２，３の回転に伴い磁気ディスク２，３間に生じた矢印Ｆ方向の空気流を磁気ディスク２，３の回転中心側に向かわせるもので、空気流の受圧面３０ｂの平面的形状（図１での形状）は、磁気ディスク２，３の回転方向下流側に向かうほど磁気ディスク２，３の回転中心側に突き出るような円弧状となっている。
【００２３】
ベース４の底面には、磁気ディスク３の下側記録面に生じる矢印Ｆ方向の空気流を磁気ディスク２，３の回転中心側に向かわせるために、磁気ディスク３との対向面がスポイラー３０と同様な平面形状の段差状突起４ｐが、スポイラーとして形成されている。同様に、カバー５の下面には、磁気ディスク２の上面に生じる矢印Ｆ方向の空気流を磁気ディスク２，３の回転中心側に向かわせるために、磁気ディスク２との対向面がスポイラー３０と同様な平面形状の段差状突起５ｐが、スポイラーとして形成されている（以下、上記段差状突起４ｐおよび段差状突起５ｐを、スポイラーと呼ぶ）。
【００２４】
スポイラー３０の位置から、筐体１（ベース４）の円弧状壁面４ａにおける磁気ディスク２，３の回転方向上流側端部４ｃまでの範囲にわたって、板状シュラウド３１，３２が設けられている。各板状シュラウド３１，３２には、それぞれ磁気ディスク２，３の外周面に対向する円弧状壁面３１ａ，３２ａが形成されている。板状シュラウド３１，３２の厚さは、磁気ディスク２，３の外周付近の高速の空気流をガイドすればよいので、磁気ディスク２，３と同程度の厚みとなっている。
【００２５】
スポイラー３０は板状シュラウド３１，３２に挟まれるようにして、図示しないボルト等を用いて筐体１（ベース４）に固定されている。間隔支持部材３３，３４は、スポイラー３０の基部（非薄肉部）と同じ厚みを有するもので、それぞれ板状シュラウド３１，３２の中間部，下流端部に当接し、板状シュラウド３１，３２の間隔を一定に保つためのものである。板状シュラウド３１，３２は間隔支持部材３３，３４の位置においても、ベース４に固定されている。
【００２６】
具体的には、たとえば、間隔支持部材３３と板状シュラウド３１，３２との重合部、間隔支持部材３４と板状シュラウド３１，３２との重合部、さらに、スポイラー３０と板状シュラウド３１，３２との重合部の、合計３つの重合部に、厚み方向に貫通穴が穿設され、ここにボルトを通して、ベース４にねじ止めされている。間隔支持部材３３については、これを設けなくても強度的な問題は生じない。
【００２７】
間隔支持部材３４については、円弧状壁面４ａと同一半径の円弧面や空間４ｂに対向する円弧面を有しており、その壁は、板状シュラウド３１，３２と同様に、空気流を案内する静止壁にもなっている。間隔支持部材３４の残りの側面は、空間４ｂの壁面に突き当てられている。
【００２８】
スポイラー３０や板状シュラウド３１，３２のベース４への組み付けは、たとえば、ベース４に磁気ディスク２，３を取り付けた後に行い、その後、アクチュエータ１１を取り付ける。スポイラー３０，板状シュラウド３１，３２，間隔支持部材３３，３４およびアクチュエータ１１は、ベース４に組み付ける前に、一つの結合体として仮止めしておき、ベース４にこの結合体を装着後、正式に固定するようにしてもよい。
【００２９】
本形態例では、スポイラー３０，４ｐ，５ｐに堰きとめられる空気の一部をバイパスさせてヘッドアーム７の下流側に流すために、特に、連絡通路３５が、筐体１の空間４ｂ内に形成されている。この連絡通路３５の入口側開口部は、ヘッドアーム７の上流側に位置し、ベース４の内壁面４ｄ（上流側壁面）と、板状シュラウド３１，３２およびスポイラー３０の積層部側面（下流側壁面）とで形成されている。連絡通路３５は、スポイラー３０，４ｐ，５ｐの上流側・下流側間の圧力差が緩和するためのものである。
【００３０】
この連絡通路３５に流れる空気を利用すれば、筐体１内を冷却したり、連絡通路３５の途中（ベース４の空間４ｂ）に、図１に示すようなフィルタ３８を設け、そこを通る空気中の塵埃を除去することができる。ＦＰＣ３６は磁気ヘッド１０との間の信号伝達に用いられるもので、その一端は、コネクタ３７に接続されている。
【００３１】
次に、上記形態例の作動を説明する。非稼動時には、磁気ヘッド１０は磁気ディスク２，３のデータゾーンよりさらに内側に形成されたエスケープゾーンに着地している。稼動状態に移ると、磁気ディスク２，３はスピンドルモータ１３によって回転駆動される。この磁気ディスク２，３の回転により発生する空気流により、磁気ヘッド１０は磁気ディスク２，３に対して微小間隔をもって浮上する。そして、この状態で、アクチュエータ１１が駆動され、磁気ヘッド１０が磁気ディスク２，３のトラックを横切る方向に移動される。磁気ヘッド１０は、所望のトラック上まで移動すると、磁気ディスク２，３に対してデータの記録再生を行う。
【００３２】
磁気ディスク２，３の回転に伴い発生する空気流に注目すると、本形態例では、磁気ディスク２，３の回転方向におけるヘッドアーム７より上流側にスポイラー３０，４ｐ，５ｐが設けられており、磁気ヘッド１０やヘッドアーム７に当たる風圧の絶対値も小さい。
【００３３】
しかも、板状シュラウド３１，３２の円弧状壁面３１ａ，３２ａが、スポイラー３０の位置から、筐体１の円弧状壁面４ａにおける磁気ディスク２，３の回転方向上流側端部４ｃまでの範囲にわたって、磁気ディスク２，３の外周面に対向するように、連続して設けられているので、ヘッドアーム７の周辺を流れる空気流が乱されることがなく、風外乱は小さくなる。よって、磁気ヘッド１０の位置決め精度を低下させるほど、風外乱が磁気ヘッド１０やヘッドアーム７に作用することはない。
【００３４】
また、本形態例では、板状部材を加工してスポイラー３０はシュラウド３１，３２を製作し、これらを積層して筐体１に固定するようにしたので、加工および装着が容易になり、コストダウンを図れる。
【００３５】
さらに、連絡通路３５を設ける場合、その入口側開口部の下流側壁面（空気流が強く当たる面）を図１に示すように緩やかな曲面で形成することが必要になるが、本形態例では、加工が容易な板状シュラウド３１，３２とスポイラー３０との積層部側面３０ｃで入口側開口部の下流側壁面を形成したので、良好な形状の壁面を低コストで形成できる。
【００３６】
なお、本発明は上記形態例に限るものではない。たとえば、磁気ディスクは１枚でも３枚以上でもよい。また、スピンドルモータ１３，アクチュエータ１１，ヘッドアーム７部分等の構造を、従来から知られている構造で置換することも可能である。さらに、ベース４の底面とカバー５の下面に、それぞれ段差状突起４ｐと段差状突起５ｐを一体に設け、これをスポイラーとしたが、スポイラー３０と同様に、一つの部品で別体に構成してもよい。
【００３７】
また、スポイラー３０，板状シュラウド３１，３２，間隔支持部材３３，３４は、金属に限らず、樹脂等でも構成できる。樹脂で板状シュラウド３１，３２を構成する場合には、間隔支持部材３３，３４も一体に構成すればよい。
【００３８】
【発明の効果】
以上説明したように、請求項１に係る発明では、磁気ディスクの回転方向におけるヘッドアームより上流側にスポイラーが設けられており、磁気ヘッドやヘッドアームに当たる風圧の絶対値も小さい。しかも、板状シュラウドの円弧状壁面が、スポイラーの位置から、筐体の円弧状壁面における磁気ディスクの回転方向上流側端部までの範囲にわたって、磁気ディスクの外周面に対向するように、連続して設けられているので、ヘッドアームの周辺を流れる空気流が乱されることがなく、風外乱は小さくなる。よって、本発明によれば、風外乱を低減でき、高速化に対応できる磁気ディスク装置を実現できる。
【００３９】
さらに、請求項２に係る発明によれば、板状部材を加工してスポイラーとシュラウドを製作し、これらを積層して筐体に固定する構成のため、加工および装着が容易になり、コストダウンを図れる。
【００４０】
又、請求項３に係る発明によれば、連絡通路の入口側開口部の下流側壁面を、板状シュラウドとスポイラーとの積層部側面にて形成するので、良好な形状の壁面を低コストで形成できる。
【図面の簡単な説明】
【図１】本発明の実施の形態例を示す一部破断平面図である。
【図２】図１の形態例における磁気ディスク中央部の断面図である。
【図３】図１の形態例におけるＡ−Ａ切断線における主要部断面図である。
【図４】図１の形態例におけるＢ−Ｂ切断線における主要部断面図である。
【図５】図１の形態例におけるＣ−Ｃ切断線における主要部断面図である。
【図６】図１の形態例の主要部の分解斜視図である。
【符号の説明】
１                          筐体
２，３          磁気ディスク
４              ベース
４ａ            円弧状壁面
４ｂ            空間
４ｃ            回転方向上流側端部
５              カバー
１０            磁気ヘッド
１１            アクチュエータ
２０            間隔リング
３０，４ｐ，５ｐ    スポイラー
３０ｃ          積層部側面
３１，３２      板状シュラウド
３１ａ，３２ａ    円弧状壁面
３３，３４      間隔支持部材
３５            連絡通路
【図１】
2004234784.tif 000003
【図２】
2004234784.tif 000004
【図３】
2004234784.tif 000005
【図４】
2004234784.tif 000006
【図５】
2004234784.tif 000007
【図６】
2004234784.tif 000008